(57)【要約】【課題】  パルス数とデータ長との関連が異なるデータ長群で、各々のデータ長群が異なるパルス幅とパルスエッジ位置とする記録波形の規則に従い記録する記録方法に関して、各々のパルス幅やパルスエッジ位置の最適値を求め、精度のよい記録を行えるようにする。【解決手段】  ｎ種類のデータ長群に対応して記録波形に異なる規則を有するデータであっても、第１の試し書き処理によりテストパターンの最適記録パワーを算出し（Ｓ１〜Ｓ３）、この最適記録パワーを用いた第２の試し書き処理により各々のデータ長群毎に最適パルス幅或いは最適パルスエッジ位置を算出し（Ｓ４〜Ｓ６）、これらの試し書き処理で算出された最適記録パワーや最適記録波形に基づいて記録動作を行わせることにより全てのデータ長を精度よく形成でき、良好な再生信号を得ることができるようにした。【選択図】    図７
2005149610.tif 000002
【特許請求の範囲】
【請求項１】
記録情報のデータ長によってその記録波形の規則が異なるように分類されたｎ（ｎは２以上の整数）種類のデータ長群を用い、記録情報及び前記規則に基づき変調された光を光源から記録媒体に照射して記録マークを形成することにより情報の記録を行う情報記録方法であって、
前記記録媒体の試し書き領域に対して、照射する記録パワーを段階的に可変しながら所定の第１のテストパターンを試し書きし、記録した試し書きデータの再生信号から最適記録パワーを算出する第1の試し書き工程と、
前記記録媒体の試し書き領域に対して、前記各データ長群に対応する第２のテストパターンを用いて前記各データ長群の記録波形用のパルス幅或いはパルスエッジ位置を段階的に可変しながら前記最適記録パワーにより試し書きし、記録した各々の第２のテストパターンの再生信号から前記各データ長群に対応する記録波形用の最適パルス幅或いは最適パルスエッジ位置を算出する第２の試し書き工程と、
を備え、前記第１の試し書き工程で算出された前記最適記録パワーと前記第２の試し書き工程で算出された前記最適パルス幅或いは前記最適パルスエッジ位置に基づき情報の記録を行うようにしたことを特徴とする情報記録方法。
【請求項２】
前記第１の試し書き工程は、
前記記録媒体の試し書き領域に対して試し書きするための第１のテストパターンを生成する第1のテストパターン生成工程と、
記録した試し書きデータの再生信号から最適記録パワーを算出する最適記録パワー算出工程と、
を含み、
前記第２の試し書き工程は、
試し書きをするための前記各データ長群に対応する第２のテストパターンを生成する第２のテストパターン生成工程と、
前記最適記録パワー及び前記第２のテストパターンを用い、特定のデータ長群の記録波形用のパルス幅及びパルスエッジ位置は固定とする一方、その他のデータ長群の記録波形用のパルス幅或いはパルスエッジ位置を段階的に可変しながら前記記録媒体の試し書き領域に対して試し書きを行わせる試し書き処理工程と、
記録した前記特定のデータ長群に対応する第２のテストパターンによる試し書きデータの再生信号によるアシンメトリの基準値を用いて、その他のデータ長群に対応する第２のテストパターンの再生信号から当該データ長群に対応する記録波形用の最適パルス幅或いは最適パルスエッジ位置を算出する最適記録波形算出工程と、
を含む、ことを特徴とする請求項１記載の情報記録方法。
【請求項３】
前記第１のテストパターンは、全データ長を含むデータ列であり、
前記第２のテストパターンは、所定のデータ長からなり前記ｎ種類のデータ長群を構成するデータ列である、ことを特徴とする請求項１又は２記載の情報記録方法。
【請求項４】
前記第１の試し書き工程における最適記録パワーは、当該工程において試し書きを行った領域の再生信号の変調度或いは変調度の変化率から算出し、
前記第２の試し書き工程における前記データ長群毎の最適パルス幅或いは最適パルスエッジ位置は、当該工程において試し書きを行った領域の再生信号の平均値レベルに対する正側ピーク値と負側ピーク値との割合であるアシンメトリから算出する、
ことを特徴とする請求項１又は３記載の情報記録方法。
【請求項５】
前記第１の試し書き工程における最適記録パワーは、当該工程において試し書きを行った領域の再生信号の変調度或いは変調度の変化率が所望の値となるように算出し、
前記第２の試し書き工程におけるその他の前記データ長群毎の最適パルス幅或いは最適パルスエッジ位置は、当該工程において試し書きを行った領域の再生信号のアシンメトリが前記特定のデータ長群対応のアシンメトリの値に略一致するように算出する、ことを特徴とする請求項２又は３記載の情報記録方法。
【請求項６】
前記第２の試し書き工程における前記データ長群毎の最適パルス幅或いは最適パルスエッジ位置は、当該工程において試し書きを行った領域内のｎ種類のデータ長群の各々の再生信号の平均値から算出する、ことを特徴とする請求項５記載の情報記録方法。
【請求項７】
記録情報のデータ長によってその記録波形の規則が異なるように分類されたｎ（ｎは２以上の整数）種類のデータ長群を用い、記録情報及び前記規則に基づき変調された光を光源から記録媒体に照射して記録マークを形成することにより情報の記録を行う情報記録方法であって、
前記記録媒体の試し書き領域に対して、前記各データ長群に対応するテストパターンを用いて前記各データ長群の記録波形用のパルス幅或いはパルスエッジ位置を段階的に可変しながら前記最適記録パワーにより試し書きし、記録した各々のテストパターンの再生信号から前記各データ長群に対応する記録波形用の最適パルス幅或いは最適パルスエッジ位置を算出する試し書き工程を前記各データ長群毎に備え、
各試し書き工程で算出された前記最適パルス幅或いは前記最適パルスエッジ位置に基づき情報の記録を行うようにしたことを特徴とする情報記録方法。
【請求項８】
前記データ長群は、記録情報のデータ長を前記整数ｎで除算した剰余により分類され、前記データ長群は記録情報のクロック周期Ｔに対するデータ長として、第ｎ群のデータ長群の記録波形を構成するマルチパルスの個数がｎＴ毎に１組の加熱パルスと冷却パルスが増加する規則を有する、ことを特徴とする請求項１ないし７の何れか一記載の情報記録方法。
【請求項９】
前記整数ｎがｎ＝２であり、各データ長群の記録波形を構成するマルチパルスの個数が２Ｔ毎に１組の加熱パルスと冷却パルスが増加する規則を有し、記録情報のクロック周期Ｔに対するデータ長が奇数長となるデータ長群を特定のデータ長群とする、請求項２又は５記載の情報記録方法。
【請求項１０】
記録情報のデータ長によってその記録波形の規則が異なるように分類されたｎ（ｎは２以上の整数）種類のデータ長群を用い、記録情報及び前記規則に基づき変調された光を光源から記録媒体に照射して記録マークを形成することにより情報の記録を行う情報記録装置であって、
前記記録媒体の試し書き領域に対して、照射する記録パワーを段階的に可変しながら所定の第1のテストパターンを試し書きし、記録した試し書きデータの再生信号から最適記録パワーを算出する第1の試し書き手段と、
前記記録媒体の試し書き領域に対して、前記各データ長群に対応する第２のテストパターンを用いて前記各データ長群の記録波形用のパルス幅或いはパルスエッジ位置を段階的に可変しながら前記最適記録パワーにより試し書きし、記録した各々の第２のテストパターンの再生信号から前記各データ長群に対応する記録波形用の最適パルス幅或いは最適パルスエッジ位置を算出する第２の試し書き手段と、
を備え、前記第１の試し書き手段で算出された前記最適記録パワーと前記第２の試し書き手段で算出された前記最適パルス幅或いは前記最適パルスエッジ位置に基づき情報の記録を行うようにしたことを特徴とする情報記録装置。
【請求項１１】
前記第１の試し書き手段は、
前記記録媒体の試し書き領域に対して試し書きするための第１のテストパターンを生成する第1のテストパターン生成手段と、
記録した試し書きデータの再生信号から最適記録パワーを算出する最適記録パワー算出手段と、
を含み、
前記第２の試し書き手段は、
試し書きをするための前記各データ長群に対応する第２のテストパターンを生成する第２のテストパターン生成手段と、
前記最適記録パワー及び前記第２のテストパターンを用い、特定のデータ長群の記録波形用のパルス幅及びパルスエッジ位置は固定とする一方、その他のデータ長群の記録波形用のパルス幅或いはパルスエッジ位置を段階的に可変しながら前記記録媒体の試し書き領域に対して試し書きを行わせる試し書き処理手段と、
記録した前記特定のデータ長群に対応する第２のテストパターンによる試し書きデータの再生信号によるアシンメトリの基準値を用いて、その他のデータ長群に対応する第２のテストパターンの再生信号から当該データ長群に対応する記録波形用の最適パルス幅或いは最適パルスエッジ位置を算出する最適記録波形算出手段と、
を含む、ことを特徴とする請求項１０記載の情報記録装置。
【請求項１２】
前記第１のテストパターンは、全データ長を含むデータ列であり、
前記第２のテストパターンは、所定のデータ長からなり前記ｎ種類のデータ長群を構成するデータ列である、ことを特徴とする請求項１０又は１１記載の情報記録装置。
【請求項１３】
前記第１の試し書き手段における最適記録パワーは、当該手段において試し書きを行った領域の再生信号の変調度或いは変調度の変化率から算出し、
前記第２の試し書き手段における前記データ長群毎の最適パルス幅或いは最適パルスエッジ位置は、当該手段において試し書きを行った領域の再生信号の平均値レベルに対する正側ピーク値と負側ピーク値との割合であるアシンメトリから算出する、
ことを特徴とする請求項１０又は１２記載の情報記録装置。
【請求項１４】
前記第１の試し書き手段における最適記録パワーは、当該手段において試し書きを行った領域の再生信号の変調度或いは変調度の変化率が所望の値となるように算出し、
前記第２の試し書き手段におけるその他の前記データ長群毎の最適パルス幅或いは最適パルスエッジ位置は、当該手段において試し書きを行った領域の再生信号のアシンメトリが前記特定のデータ長群対応のアシンメトリの値に略一致するように算出する、ことを特徴とする請求項１１又は１２記載の情報記録装置。
【請求項１５】
前記第２の試し書き手段における前記データ長群毎の最適パルス幅或いは最適パルスエッジ位置は、当該手段において試し書きを行った領域内のｎ種類のデータ長群の各々の再生信号の平均値から算出する、ことを特徴とする請求項１４記載の情報記録装置。
【請求項１６】
記録情報のデータ長によってその記録波形の規則が異なるように分類されたｎ（ｎは２以上の整数）種類のデータ長群を用い、記録情報及び前記規則に基づき変調された光を光源から記録媒体に照射して記録マークを形成することにより情報の記録を行う情報記録装置であって、
前記記録媒体の試し書き領域に対して、前記各データ長群に対応するテストパターンを用いて前記各データ長群の記録波形用のパルス幅或いはパルスエッジ位置を段階的に可変しながら前記最適記録パワーにより試し書きし、記録した各々のテストパターンの再生信号から前記各データ長群に対応する記録波形用の最適パルス幅或いは最適パルスエッジ位置を算出する試し書き手段を前記各データ長群毎に備え、
各試し書き手段で算出された前記最適パルス幅或いは前記最適パルスエッジ位置に基づき情報の記録を行うようにしたことを特徴とする情報記録装置。
【請求項１７】
前記データ長群は、記録情報のデータ長を前記整数ｎで除算した剰余により分類され、前記データ長群は記録情報のクロック周期Ｔに対するデータ長として、第ｎ群のデータ長群の記録波形を構成するマルチパルスの個数がｎＴ毎に１組の加熱パルスと冷却パルスが増加する規則を有する、ことを特徴とする請求項１０ないし１６の何れか一記載の情報記録装置。
【請求項１８】
前記整数ｎがｎ＝２であり、各データ長群の記録波形を構成するマルチパルスの個数が２Ｔ毎に１組の加熱パルスと冷却パルスが増加する規則を有し、記録情報のクロック周期Ｔに対するデータ長が奇数長となるデータ長群を特定のデータ長群とする、請求項１１又は１４記載の情報記録装置。
【発明の詳細な説明】
【技術分野】
【０００１】
本発明は、ＣＤ−Ｒ，ＣＤ−ＲＷ，ＤＶＤ−Ｒ，ＤＶＤ−ＲＷ，ＤＶＤ−ＲＡＭ，ＤＶＤ＋ＲＷ等の各種記録媒体に対する情報記録方法及び情報記録装置に関する。
【背景技術】
【０００２】
近年、例えばＣＤ−Ｒドライブ装置のような記録可能な光ディスクドライブ装置が実用化され、さらに大容量化・高速記録化を目指した研究がなされている。記録可能な光ディスク媒体としては、色素系メディア等を用いた追記型光ディスクや、光磁気メディアや相変化メディア等を用いた書換え可能なディスクなどが挙げられる。
【０００３】
一般の光ディスク記録装置では、半導体レーザを光源とし、記録情報によりパルス変調されたこのレーザ光を記録媒体に照射し、記録マークを形成する。この時、記録するレーザ光のパワーにより記録マークの形成状態が変化するため、従来では、記録媒体の特性に適した記録パワーを求めるために、記録開始の準備として予め所定の領域（ＰＣＡ：Power Calibration Area＝試し書き領域）に対して記録パワーを変化させながら試し書きを行い、試し書き後、その領域の再生信号の品質が最も良好である領域を記録したパワーを最適記録パワーとして求めるという、いわゆるＯＰＣ（Optimum Power Control）という方法が用いられている。実際のデータの記録時にはこのようにして求めた最適記録パワーを保ちながら記録を行う。
【０００４】
一方、ＣＤやＤＶＤなどの多くの光ディスクの記録方法においては、高密度化に適したマークの長さが情報を担うマークエッジ記録方法が採用されており、正確にデータを再生するためにはマークの形状やエッジ位置の正確な制御が必要となっている。さらには、マーク長が異なっても一様にマーク形状を整えるため、複数の記録パルスに分割したパルス列で記録マークを形成するマルチパルス記録方法が広く用いられている。即ち、加熱・冷却のサイクルを繰返してマークを繋げて形成することにより一様な長マークを形成するものである。この方法は色素系追記型の媒体でも適用されている。
【発明の開示】
【発明が解決しようとする課題】
【０００５】
ところで、近年の高速記録化の要求に伴い様々な記録方法が提案されており、その一つとして記録波形の低周波化が挙げられる。例えば、記録速度の高速化に伴い記録データの基準クロック周波数が高くなると、マルチパルス記録での加熱、冷却時間が非常に短くなり、ＬＤの発光波形の立上り時間と立下り時間の制約によって発光パルスが鈍りを生じるため、十分な加熱時間と冷却時間が確保できなくなり記録不良となってしまう。そこで、各々のデータ長に応じてクロック周期でマルチパルス数が増加するのではなく、２クロック周期で１組の加熱パルスと冷却パルスが増加するいわゆる２Ｔストラテジ方式、より一般的には、ｎクロック周期（ｎは２以上の整数）で１組の加熱パルスと冷却パルスが増加するいわゆるｎＴストラテジ方式が提案され、実用化されている。
【０００６】
このようなｎＴストラテジ方式と記録パルス波形との関係は、記録パワーＰwに対する記録マーク長の理想値からのずれΔの関係が、データ長を整数ｎで除算した剰余で分類されたデータ長群毎にシフトするため、各々のデータ長群毎にパルス幅やパルスエッジ位置を設定するようにしており、事前にテスターを用いた評価結果から推奨値を算出している。
【０００７】
図１１（ａ）に良好な再生信号のマークデータ長毎のヒストグラムを例示する。記録パルスの構成は前述の２Ｔストラテジに基づくものであり、ｎ＝２で除算した剰余１、即ち、奇数長のデータ長群（３，５，７，９，１１Ｔ）の各々の平均値と、ｎ＝２で除算した剰余０、即ち、偶数長のデータ長群（４，６，８，１０，１４Ｔ）の各々の平均値の分布が均等な長さに形成される必要がある。ＤＶＤ系ディスクの場合、マーク長が３Ｔ〜１４Ｔ（ここで、Ｔはデータの基準クロック周期）であるが、図１１では１４Ｔを省略している。ここで、偶数長のデータ長群の各々の平均値が、最適記録パワーを用いた時に理想値からのずれ±Δを生ずることがある。即ち、記録波形の規則が、奇数長のデータ長群と偶数長のデータ長群とで異なる場合に、各々のパルス幅やパルスエッジ位置が記録パワーに合致しているか否かによって奇数長のデータ長群とは異なってしまう。そのため、試し書きによって算出された最適記録パワーと、偶数長のデータ長群と奇数長のデータ長群の各々のパルス幅或いはパルスエッジ位置が最適に組合されたときのみ、マーク長は図１１（ａ）に示すような理想長となっている。
【０００８】
図１１（ｂ）に示す例では、記録パワーが小さい場合やパルス幅やパルスエッジ位置が偶数長のデータ長群の平均長が理想長より短くなるようにシフトしている場合であり、図１１（ｃ）に示す例では、記録パワーが大きい場合やパルス幅やパルスエッジ位置が偶数長のデータ長群の平均長が理想長より長くなるようにシフトしている場合である。
【０００９】
このように、従来の高速記録時の２Ｔストラテジ、より一般的には、ｎＴストラテジによる記録パルス列を用いた記録方法において、前述の最適記録パワー算出の試し書き（ＯＰＣ）を行う際には、記録パワーに依らず一定のパルス幅及びパルスエッジ位置を保ったまま、記録パワーを変化させながら試し書きを行い、その中で最適な記録パワーを求めていた。
【００１０】
しかしながら、このようなＯＰＣの方法では、記録パワーとデータ長毎の理想値からのずれとの関係は加熱パルスと冷却パルスの配置による急冷条件で決まるため偶数長と奇数長とのデータ長群により異なるため、ディスクのプリフォーマット情報に予め設定されたパルス幅やパルスエッジ位置と予め設定された記録パワーとの組合せから、異なる最適記録パワーが算出された場合に、マーク長と前記理想値からのずれが増大する。より具体的には、記録媒体や記録装置のバラツキ（即ち、ＬＤ駆動部のバラツキによる記録パルス波形のバラツキ）があった場合に、最適記録パワーＰo(optimum)と記録パルスのパルス幅やパルスエッジ位置の最適値との関係もばらつくため、マーク形状やマーク位置の精度が損なわれジッタ特性が劣化し、結果としてデータエラーの原因となるという問題が生じる。
【００１１】
本発明の目的は、記録パルス列を構成するマルチパルス数とデータ長との関連が異なるデータ長群で、各々のデータ長群が異なるパルス幅とパルスエッジ位置とする記録波形の規則に従い記録する記録方法に関して、各々のパルス幅やパルスエッジ位置の最適値を求め、これにより精度のよい記録を行えるようにすることである。
【００１２】
また、前述のようなｎＴストラテジ方式と記録パルス波形との関係は、記録パワーＰwに対する記録マーク長の理想値からのずれΔの関係が、データ長を整数ｎで除算した剰余で分類されたデータ長群毎にシフトするため、各々のデータ長群のパルス幅やパルスエッジ位置を個別に設定する必要がある。
【００１３】
本発明の別の目的は、試し書きによって算出された最適記録パワーを用いて、偶数長のデータ長群と奇数長のデータ長群の各々のマーク長を理想長となるように適正な記録を行えるようにすることである。
【課題を解決するための手段】
【００１４】
請求項１記載の発明は、記録情報のデータ長によってその記録波形の規則が異なるように分類されたｎ（ｎは２以上の整数）種類のデータ長群を用い、記録情報及び前記規則に基づき変調された光を光源から記録媒体に照射して記録マークを形成することにより情報の記録を行う情報記録方法であって、前記記録媒体の試し書き領域に対して、照射する記録パワーを段階的に可変しながら所定の第1のテストパターンを試し書きし、記録した試し書きデータの再生信号から最適記録パワーを算出する第1の試し書き工程と、前記記録媒体の試し書き領域に対して、前記各データ長群に対応する第２のテストパターンを用いて前記各データ長群の記録波形用のパルス幅或いはパルスエッジ位置を段階的に可変しながら前記最適記録パワーにより試し書きし、記録した各々の第２のテストパターンの再生信号から前記各データ長群に対応する記録波形用の最適パルス幅或いは最適パルスエッジ位置を算出する第２の試し書き工程と、を備え、前記第１の試し書き工程で算出された前記最適記録パワーと前記第２の試し書き工程で算出された前記最適パルス幅或いは前記最適パルスエッジ位置に基づき情報の記録を行うようにした。
【００１５】
請求項２記載の発明は、請求項１記載の情報記録方法において、前記第１の試し書き工程は、前記記録媒体の試し書き領域に対して試し書きするための第1のテストパターンを生成する第1のテストパターン生成工程と、記録した試し書きデータの再生信号から最適記録パワーを算出する最適記録パワー算出工程と、を含み、前記第２の試し書き工程は、試し書きをするための前記各データ長群に対応する第２のテストパターンを生成する第２のテストパターン生成工程と、前記最適記録パワー及び前記第２のテストパターンを用い、特定のデータ長群の記録波形用のパルス幅及びパルスエッジ位置は固定とする一方、その他のデータ長群の記録波形用のパルス幅或いはパルスエッジ位置を段階的に可変しながら前記記録媒体の試し書き領域に対して試し書きを行わせる試し書き処理工程と、記録した前記特定のデータ長群に対応する第２のテストパターンによる試し書きデータの再生信号によるアシンメトリの基準値を用いて、その他のデータ長群に対応する第２のテストパターンの再生信号から当該データ長群に対応する記録波形用の最適パルス幅或いは最適パルスエッジ位置を算出する最適記録波形算出工程と、を含む。
【００１６】
請求項３記載の発明は、請求項１又は２記載の情報記録方法において、前記第１のテストパターンは、全データ長を含むデータ列であり、前記第２のテストパターンは、所定のデータ長からなり前記ｎ種類のデータ長群を構成するデータ列である。
【００１７】
請求項４記載の発明は、請求項１又は３記載の情報記録方法において、前記第１の試し書き工程における最適記録パワーは、当該工程において試し書きを行った領域の再生信号の変調度或いは変調度の変化率から算出し、前記第２の試し書き工程における前記データ長群毎の最適パルス幅或いは最適パルスエッジ位置は、当該工程において試し書きを行った領域の再生信号の平均値レベルに対する正側ピーク値と負側ピーク値との割合であるアシンメトリから算出する。
【００１８】
請求項５記載の発明は、請求項２又は３記載の情報記録方法において、前記第１の試し書き工程における最適記録パワーは、当該工程において試し書きを行った領域の再生信号の変調度或いは変調度の変化率が所望の値となるように算出し、前記第２の試し書き工程におけるその他の前記データ長群毎の最適パルス幅或いは最適パルスエッジ位置は、当該工程において試し書きを行った領域の再生信号のアシンメトリが前記特定のデータ長群対応のアシンメトリの値に略一致するように算出する。
【００１９】
請求項６記載の発明は、請求項５記載の情報記録方法において、前記第２の試し書き工程における前記データ長群毎の最適パルス幅或いは最適パルスエッジ位置は、当該工程において試し書きを行った領域内のｎ種類のデータ長群の各々の再生信号の平均値から算出する。
【００２０】
請求項７記載の発明は、記録情報のデータ長によってその記録波形の規則が異なるように分類されたｎ（ｎは２以上の整数）種類のデータ長群を用い、記録情報及び前記規則に基づき変調された光を光源から記録媒体に照射して記録マークを形成することにより情報の記録を行う情報記録方法であって、前記記録媒体の試し書き領域に対して、前記各データ長群に対応するテストパターンを用いて前記各データ長群の記録波形用のパルス幅或いはパルスエッジ位置を段階的に可変しながら前記最適記録パワーにより試し書きし、記録した各々のテストパターンの再生信号から前記各データ長群に対応する記録波形用の最適パルス幅或いは最適パルスエッジ位置を算出する試し書き工程を前記各データ長群毎に備え、各試し書き工程で算出された前記最適パルス幅或いは前記最適パルスエッジ位置に基づき情報の記録を行うようにした。
【００２１】
請求項８記載の発明は、請求項１ないし７の何れか一記載の情報記録方法において、前記データ長群は、記録情報のデータ長を前記整数ｎで除算した剰余により分類され、前記データ長群は記録情報のクロック周期Ｔに対するデータ長として、第ｎ群のデータ長群の記録波形を構成するマルチパルスの個数がｎＴ毎に１組の加熱パルスと冷却パルスが増加する規則を有する。
【００２２】
請求項９記載の発明は、請求項２又は５記載の情報記録方法において、前記整数ｎがｎ＝２であり、各データ長群の記録波形を構成するマルチパルスの個数が２Ｔ毎に１組の加熱パルスと冷却パルスが増加する規則を有し、記録情報のクロック周期Ｔに対するデータ長が奇数長となるデータ長群を特定のデータ長群とする。
【００２３】
請求項１０記載の発明は、記録情報のデータ長によってその記録波形の規則が異なるように分類されたｎ（ｎは２以上の整数）種類のデータ長群を用い、記録情報及び前記規則に基づき変調された光を光源から記録媒体に照射して記録マークを形成することにより情報の記録を行う情報記録装置であって、前記記録媒体の試し書き領域に対して、照射する記録パワーを段階的に可変しながら所定の第1のテストパターンを試し書きし、記録した試し書きデータの再生信号から最適記録パワーを算出する第1の試し書き手段と、前記記録媒体の試し書き領域に対して、前記各データ長群に対応する第２のテストパターンを用いて前記各データ長群の記録波形用のパルス幅或いはパルスエッジ位置を段階的に可変しながら前記最適記録パワーにより試し書きし、記録した各々の第２のテストパターンの再生信号から前記各データ長群に対応する記録波形用の最適パルス幅或いは最適パルスエッジ位置を算出する第２の試し書き手段と、備え、前記第１の試し書き手段で算出された前記最適記録パワーと前記第２の試し書き手段で算出された前記最適パルス幅或いは前記最適パルスエッジ位置に基づき情報の記録を行うようにした。
【００２４】
請求項１１記載の発明は、請求項１０記載の情報記録装置において、前記第１の試し書き手段は、前記記録媒体の試し書き領域に対して試し書きするための第１のテストパターンを生成する第１のテストパターン生成手段と、記録した試し書きデータの再生信号から最適記録パワーを算出する最適記録パワー算出手段と、を含み、前記第２の試し書き手段は、試し書きをするための前記各データ長群に対応する第２のテストパターンを生成する第２のテストパターン生成手段と、前記最適記録パワー及び前記第２のテストパターンを用い、特定のデータ長群の記録波形用のパルス幅及びパルスエッジ位置は固定とする一方、その他のデータ長群の記録波形用のパルス幅或いはパルスエッジ位置を段階的に可変しながら前記記録媒体の試し書き領域に対して試し書きを行わせる試し書き処理手段と、記録した前記特定のデータ長群に対応する第２のテストパターンによる試し書きデータの再生信号によるアシンメトリの基準値を用いて、その他のデータ長群に対応する第２のテストパターンの再生信号から当該データ長群に対応する記録波形用の最適パルス幅或いは最適パルスエッジ位置を算出する最適記録波形算出手段と、を含む。
【００２５】
請求項１２記載の発明は、請求項１０又は１１記載の情報記録装置において、前記第１のテストパターンは、全データ長を含むデータ列であり、前記第２のテストパターンは、所定のデータ長からなり前記ｎ種類のデータ長群を構成するデータ列である。
【００２６】
請求項１３記載の発明は、請求項１０又は１２記載の情報記録装置において、前記第１の試し書き手段における最適記録パワーは、当該手段において試し書きを行った領域の再生信号の変調度或いは変調度の変化率から算出し、前記第２の試し書き手段における前記データ長群毎の最適パルス幅或いは最適パルスエッジ位置は、当該手段において試し書きを行った領域の再生信号の平均値レベルに対する正側ピーク値と負側ピーク値との割合であるアシンメトリから算出する。
【００２７】
請求項１４記載の発明は、請求項１１又は１２記載の情報記録装置において、前記第１の試し書き手段における最適記録パワーは、当該手段において試し書きを行った領域の再生信号の変調度或いは変調度の変化率が所望の値となるように算出し、前記第２の試し書き手段におけるその他の前記データ長群毎の最適パルス幅或いは最適パルスエッジ位置は、当該手段において試し書きを行った領域の再生信号のアシンメトリが前記特定のデータ長群対応のアシンメトリの値に略一致するように算出する。
【００２８】
請求項１５記載の発明は、請求項１４記載の情報記録装置において、前記第２の試し書き手段における前記データ長群毎の最適パルス幅或いは最適パルスエッジ位置は、当該手段において試し書きを行った領域内のｎ種類のデータ長群の各々の再生信号の平均値から算出する。
【００２９】
請求項１６記載の発明は、記録情報のデータ長によってその記録波形の規則が異なるように分類されたｎ（ｎは２以上の整数）種類のデータ長群を用い、記録情報及び前記規則に基づき変調された光を光源から記録媒体に照射して記録マークを形成することにより情報の記録を行う情報記録装置であって、前記記録媒体の試し書き領域に対して、前記各データ長群に対応するテストパターンを用いて前記各データ長群の記録波形用のパルス幅或いはパルスエッジ位置を段階的に可変しながら前記最適記録パワーにより試し書きし、記録した各々のテストパターンの再生信号から前記各データ長群に対応する記録波形用の最適パルス幅或いは最適パルスエッジ位置を算出する試し書き手段を前記各データ長群毎に備え、各試し書き手段で算出された前記最適パルス幅或いは前記最適パルスエッジ位置に基づき情報の記録を行うようにした。
【００３０】
請求項１７記載の発明は、請求項１０ないし１６の何れか一記載の情報記録装置において、前記データ長群は、記録情報のデータ長を前記整数ｎで除算した剰余により分類され、前記データ長群は記録情報のクロック周期Ｔに対するデータ長として、第ｎ群のデータ長群の記録波形を構成するマルチパルスの個数がｎＴ毎に１組の加熱パルスと冷却パルスが増加する規則を有する。
【００３１】
請求項１８記載の発明は、請求項１１又は１４記載の情報記録装置において、前記整数ｎがｎ＝２であり、各データ長群の記録波形を構成するマルチパルスの個数が２Ｔ毎に１組の加熱パルスと冷却パルスが増加する規則を有し、記録情報のクロック周期Ｔに対するデータ長が奇数長となるデータ長群を特定のデータ長群とする。
【発明の効果】
【００３２】
請求項１，２，１０，１１記載の発明によれば、ｎ種類のデータ長群に対応して記録波形に規則を有するデータであっても、テストパターンの最適記録パワーを算出し、この最適記録パワーを用いた試し書きにより各々のデータ長群毎に最適パルス幅或いは最適パルスエッジ位置を算出するので、これらのパワーや記録波形の最適値に基づいて記録動作を行わせることにより全てのデータ長を精度よく形成でき、良好な再生信号を得ることができる。
【００３３】
請求項３，１２記載の発明によれば、第２のテストパターンが複数のデータ長群を構成するデータ列であるので、各々のデータ長群に対応した記録波形に合致した試し書きが可能になり、再生信号の検出値に誤差を含まないので、精度よく最適なパルス幅若しくはパルスエッジ位置を算出することができる。
【００３４】
請求項４，１３記載の発明によれば、第１の試し書き処理で最適記録パワーが簡易に精度よく算出することができるとともに、各々のデータ長群毎のデータ長の長短の差異を容易かつ精度よく検出することができるので、記録パワーとパルス幅やパルスエッジ位置とのマッチングの優れた良好な記録を行うことが可能となる。
【００３５】
請求項５ないし７、１４ないし１６記載の発明によれば、ｎ種類のデータ長群及び各々のテストパターンに応じて、各々の最適な記録波形のパルス幅若しくはパルスエッジ位置を個別の再生信号の検出値を得られるように、データ長群毎の個別の試し書き工程によって算出しているので、記録パワーとパルス幅やパルスエッジ位置とのマッチングの優れた良好な記録を行うことが可能となる。
【００３６】
請求項８，９，１７，１８記載の発明によれば、相変化型ディスクの高速記録で用いられるいわゆるｎＴストラテジと称するマルチパルス数を減らした記録波形を用いる方法や、ＣＤやＤＶＤ記録の高速記録化に適応可能ないわゆる２Ｔストラテジでは、奇数長のデータ長群と偶数長のデータ長群とで最適記録パワーと、記録パルス幅やパルスエッジ位置にずれが生ずることなく、このような記録媒体に対して良好な記録が可能となる。
【発明を実施するための最良の形態】
【００３７】
本発明の一実施の形態を図面に基づいて説明する。本実施の形態の情報記録装置は、光情報記録装置への適用例であり、図１はこの光情報記録装置の概略構成例を示すブロック図である。
【００３８】
この光情報記録装置において用いられる記録媒体１は、記録可能な記録媒体（例えば、ＣＤ−Ｒ，ＣＤ−ＲＷ，ＤＶＤ−Ｒ，ＤＶＤ−ＲＷ，ＤＶＤ＋Ｒ，ＤＶＤ＋ＲＷ，ＤＶＤ−ＲＡＭ，ＭＤ，ＭＯなどの光ディスク等）である。このような記録媒体１を回転駆動させるスピンドルモータ２は、サーボコントローラ３から供給される信号に従い線速度一定（ＣＬＶ）或いは角速度一定（ＣＡＶ）となるように制御される。光ピックアップ（ＰＵ）４は光源である半導体レーザ（ＬＤ）からの出射光を記録媒体１に照射し情報の記録を行ったり、記録媒体１からの反射光を受光し受光信号に変換するものであり、光源、反射光を受光し受光信号に変換する受光素子、光学系、アクチュエータなどから構成されている。また、光ピックアップ４には光源の出射光の一部をモニタするモニタ受光部も配置され、この出力であるモニタ信号により光源の出射光量変動が制御される。また、記録媒体1の照射光に対する傾き（チルト）を検知するためのチルト検出受光部などが配置される場合もある。
【００３９】
受光信号処理部５は光ピックアップ４に配置された各種受光部からの受光信号が入力され、様々な信号処理を行う。受光信号から再生信号Ｓrfの生成や、サーボコントローラ３とともに記録媒体１の回転に伴う面振れやトラックの半径方向の振れなどの変動に対し常に所定の誤差内で光を照射するようアクチュエータを駆動し制御（フォーカスサーボ制御及びトラックサーボ制御）する。このため受光信号からサーボエラー信号Ｓsvを生成し、サーボコントローラ３へ供給する。また、光ピックアップ４は記録媒体１の半径方向に可動し、所望の位置に光スポットが照射されるようシーク動作を行う。サーボコントローラ３は記録媒体1に予め記録されたアドレス情報などに従いこのシーク制御や記録媒体１の回転制御、チルト制御などの機能も担う。
【００４０】
記録媒体１には記録トラックが所定の周波数で蛇行したウォブルが予め形成されており、受光信号処理部５ではこのウォブル成分を抽出したウォブル信号Ｓwblも生成する。このウォブル信号Ｓwblを基に回転制御、アドレス情報の検出、記録の際の基準クロックとなる記録クロックＷＣＫの生成をウォブル信号処理部６で行う。
【００４１】
再生信号処理部７は再生信号Ｓrfから再生している記録媒体１の所定の変調方式規則に則り復調を行う。また、内蔵されたＰＬＬ回路により再生クロックを抽出する。復調したデータはコントローラ８に供給する。
【００４２】
エンコーダ９はコントローラ８から供給される記録情報を所定の変調方式規則に則り変調を行い、記録データＷdataを供給する。この時、記録クロックＷＣＫを基準に生成している。例えば、ＤＶＤ記録装置では、ＥＦＭ＋変調方式が用いられており、記録データＷdataのパルス長は３Ｔ〜１１Ｔ，１４Ｔ（Ｔは記録クロックＷＣＫの周期）となる。
【００４３】
ＬＤ駆動部１０は記録データＷdata及び記録クロックＷＣＫに従い、光源ＬＤを所定の光波形で変調する。照射パワーや光波形情報などはコントローラ８から設定される。また、受光信号処理部５からモニタ受光信号が入力され、このモニタ受光信号に基づき光源ＬＤの出射光量が所望の値となるように制御する（いわゆるＡＰＣ（Automatic Power Control）制御を行う）。
【００４４】
ここで、記録媒体１には、図２（ａ）に示すように、所定の領域（例えば、最内周部）にＰＣＡ（Power Calibration Area＝試し書き領域）２１が設けられており、本来の記録を開始する前にこの領域に試し書きを行い最適な記録パワーを求め、実際の記録時にはこの求めた記録パワーで記録を行うＯＰＣ（Optimum Power Control）制御を行う。また、図２（ｂ）に示すように、一度の試し書きは、例えば、記録情報単位である１ＥＣＣブロックを用いて行われ（この１ＥＣＣブロックは１６セクタからなる）、１セクタ毎記録パワーを変化させながら試し書きを行う。
【００４５】
すると、この試し書きを行った領域の再生信号Ｓrfは、図２（ｃ）に示すようになるので、ＯＰＣ検出部１１は、再生信号Ｓrfの各セクタの最大値Ｉpk、最小値Ｉbt、平均値（ＤＣ値）Ｉdcを検出する。図３は再生信号Ｓrfのアイダイアグラムの一例である。コントローラ８では、試し書きを行った領域の再生を行ってこれらの値を検出し、これらの値から所定の演算を行い最適な記録パワーを算出する。この算出動作の詳細については後述する。
【００４６】
テスト信号生成部１２は、試し書きを行う際に試し書きデータ（テストパターン）を生成する。この試し書きデータはエンコーダ９に供給され、試し書きの際にはこれを選択出力してＬＤ駆動部１０に供給する。
【００４７】
コントローラ８は、前述した機能、後述する処理制御の他、ホストコンピュータ（図示せず）との記録再生情報の受け渡しやコマンド通信を行い装置全体の制御を行う。
【００４８】
ここで、記録媒体１として例えばＤＶＤ−ＲＷ等の相変化型記録媒体（書換え型記録媒体）を想定した場合の光源ＬＤの発光波形例を図４に例示する。図４（ａ）は記録クロックＷＣＫ、図４（ｂ）は記録データＷdata、図４（ｃ）は記録データＷdataのデータ長が３Ｔ（１）〜１４Ｔ（１０）の時の光記録波形を示している。照射パワーは各々ボトムパワーＰｂ、イレースパワーＰｅ、ライトパワーＰｗとなるように設定される。
【００４９】
ここで、ＣＤ−ＲＷの２４倍速以上やＤＶＤ−ＲＷの５倍速以上のように、記録クロック周波数が１００ＭＨｚを超えるような速度になると、光源ＬＤの立上り時間や立下り時間が１．５ｎｓ程度であるため、発光波形が鈍りを生じて方形波にならず十分な加熱時間と冷却時間を確保できなくなる。従って、４Ｔと５Ｔ、６Ｔと７Ｔ、８Ｔと９Ｔ、１０Ｔと１１Ｔ、が各々同一パルス数となる前述のような２Ｔストラテジを用いることで高速記録を実現している。
【００５０】
より具体的には、図５（ｂ）に示すような奇数長のデータ長群（３，５，７，９，１１Ｔ）と、図５（ｃ）に示すような偶数長のデータ長群（４，６，８，１０，１４Ｔ）は、その記録波形に関してパルス幅若しくはパルスエッジ位置の規則が異なっており、ここでは、９Ｔ，１０Ｔの例を示し、先頭加熱パルスの前エッジ位置Ｔsfpo，Ｔsfpe、マルチパルス部分の先頭加熱マルチパルスの前エッジ位置Ｔsmpo，Ｔsmpe、及び最後尾加熱パルスの前エッジ位置Ｔslpo，Ｔslpeが、奇数長、偶数長の各データ長群で異なる設定とされている（末尾のｅは奇数、ｏは偶数を示している）。
【００５１】
このとき、各々の加熱パルス幅Ｔfp，Ｔmp，Ｔlp、及び、最後尾冷却パルス幅Ｔecpは、奇数長、偶数長の各データ長群で略一致させている。ただし、後述する試し書きのために、最後尾加熱パルスのパルス幅Ｔlpo，Ｔlpe、最後尾冷却パルスのパルス幅Ｔecpoｍ，Ｔecpeも異なる設定にすることが可能としている。
【００５２】
設定例を以下に示す。
【００５３】
Ｔsfpo＝１．１Ｔ，Ｔsfpe＝１．０Ｔ
Ｔsmpo＝１．６Ｔ，Ｔsmpe＝１．０Ｔ
Ｔslpo＝２．１Ｔ，Ｔslpe＝１．０Ｔ
Ｔecpo＝Ｔecpe＝０．２Ｔ
Ｔfpo＝Ｔfpe＝Ｔmpo＝Ｔmpe＝Ｔlpo＝Ｔlpe＝０．８Ｔ
通常、各データ長群毎のライトパワーは等しい記録パワーＰw（＝Ｐwo＝Ｐwe）であり、予め設定されたパルス幅とパルスエッジ位置の設定はディスク製造時の検査によって最適記録パワーＰoとの組合せに基づいて決定されている。
【００５４】
ここで、光情報記録装置は光学系のばらつきやＬＤ駆動回路１０のばらつきに応じてスポット径や発光時間が異なるため、光情報記録装置による試し書きで算出された最適記録パワーとのずれが生じるため、奇数長と偶数長との各々のデータ長群のパルス幅とパルスエッジ位置の初期設定をそのまま用いると、算出された最適記録パワーに対するデータ長群の理想長からのずれ（エッジシフト）を生じるため、本実施の形態では、特徴的な処理として、何れかのデータ長群の設定を補正する工程を付加するようにしている。
【００５５】
即ち、本実施の形態の後述するような特徴的な試し書き処理によれば、記録媒体１と情報記録装置との組合せに応じた、図１１（ｂ）に示すような偶数長のデータ長が短く形成されて平均値が小さくなったヒストグラムや、図１１（ｂ）に示すような偶数長のデータ長が長く形成されて平均値が大きくなったヒストグラムのようなずれを補正するために、前記のように偶数長のマークを形成するための記録波形のパルスエッジ位置若しくはパルス幅を補正することによって、記録クロック周期Ｔを基準とした理想長に対して、奇数長のデータ長と、偶数長の各々のデータ長とが精度良く一致した図１１（ａ）に示すようにマークの形成を行うことができる。
【００５６】
そこで、マイクロコンピュータ構成のコントローラ８により実行される記録媒体１に好適な情報記録方法の処理制御例を図７及び図８に示すフローチャートを参照して説明する。図８は、図７よりも、処理例をより詳細に示すフローチャートであり、並行して説明する。
【００５７】
図７は、最適記録パワーＰw(opt)及び各データ長群におけるパルス幅若しくはパルスエッジ位置を算出するアルゴリズムを示すフローチャートである。この最適記録パワーの算出は情報の記録開始の準備として行われ、概略的には、最適記録パワーＰw(opt)を算出する第１の試し書き工程、第１の試し書き手段と、算出された最適記録パワーＰw(opt)に基づいて、パルス幅若しくはパルスエッジ位置の補正値を算出する第２の試し書き工程、第２の試し書き手段とで成り立つ。
【００５８】
まず、ステップＳ１（Ｓ１１）では、第１の試し書き工程で使用する第１のテストパターンを生成する（第１のテストパターン生成工程、第１のテストパターン生成手段）。第１のテストパターンは、全データパターンで構成されたものであり、所定の変調規則は満たしているものとする。この第１の試し書き工程ではこの第１のテストパターンが記録データＷdataとしてエンコーダ９より供給する。
【００５９】
ステップＳ２（Ｓ１２）では、セクタ毎に記録パワーＰw（Ｐw1，Ｐw2，Ｐw3，Ｐw4，…）を所定のステップで変化させながらこの第１のテストパターンを記録媒体１の所定の試し書き領域に記録する。
【００６０】
ステップＳ３（Ｓ１３）では、ステップＳ２で試し書きした領域を再生し、再生信号Ｓrfが最も良好に得られるセクタを記録したパワーを最適記録パワーＰw(opt)として算出する。ステップＳ２，Ｓ３（Ｓ１２，Ｓ１３）が第１のテストパターン生成工程、第１のテストパターン生成手段として実行される。
【００６１】
この再生信号品質を評価するには以下のような例が適用できる。
【００６２】
第１には、各セクタにおける再生信号Ｓrfの最大値Ｉpk、最小値Ｉbt、平均値（DC値）Ｉdcを検出する。そして、各セクタ毎に、
β＝［（Ｉpk−Ｉdc）−（Ｉdc−Ｉbt）］／（Ｉpk−Ｉbt）………（１）
なる演算を行い、アシンメトリβを算出する。
【００６３】
通常、最も良好な再生信号が得られるのはβ＝０の時であり、最も０に近いセクタを記録したパワーを最適記録パワーＰw(opt)として算出すればよい。或いは、記録パワーＰwとアシンメトリβとの近似式を算出し、β＝０となる記録パワーを算出するようにしてもよい。この算出は色素型光ディスクに好適である。
【００６４】
第２には、再生信号の変調度の記録パワーに対する変化度を指標にする方法である。前述と同様に各セクタにおける再生信号Ｓrfの最大値Ｉpk、最小値Ｉbtを検出する。そして、
ｍ＝（Ｉpk−Ｉbt）／Ｉpk          ……………（２）
に従い変調度ｍを算出する。
【００６５】
次に、算出された変調度ｍとそのときの記録パワーＰwとから、変調度ｍの記録パワーに対する変化率γを
γ＝（ｄｍ／ｄＰｗ）・（Ｐｗ／ｍ）  …………（３）
に従い算出する。そして、変化率γが所定値γtとなる記録パワーＰtを求め、これに所定の係数ｋを掛けたものを最適記録パワーＰwとして決定する。これらの所定値γt及び係数ｋは記録媒体１の種類や情報記録装置毎に予め定められた値を用いる。
【００６６】
より詳細な算出方法を以下に説明する。まず、試し書き領域を再生して検出した変調度ｍと記録パワーＰｗとの複数のデータから、
ｍ＝ａ・Ｐｗ２＋ｂ・Ｐｗ＋ｃ  （ａ，ｂ，ｃは定数）……（４）
なる２次近似式を算出する。近似方法としては多項式近似などの一般的な近似方法を用いればよく、２次以上の近似式が測定値とよく一致する。
【００６７】
そして、前述の（３）式より、ｄｍ／ｄＰｗ＝２ａ・Ｐｗ＋ｂであるから、
Ｐｗ＝｛−ｂ(γ−１)±SQRT[ｂ２(γ−1)２−４ａ(γ−２)ｃγ]}／２ａ(γ−２)
………………………………（５）
なる（５）式が得られる。これらの演算を行い、（５）式の正の解Ｐｗ＋を算出することで最適記録パワーＰｗ(opt)を算出する。この算出は相変化型光ディスクに好適である。
【００６８】
また、これらの方法を組合せたものであってもよく、さらにはジッタ検出部を設け、最小のジッタとなる記録パワーを算出するようにしてもよい。
【００６９】
この時、データ長は全データ長を含んでおり、最適記録パワーからずれた記録パワーでは各々のデータ長群で異なるマーク長が形成される。しかしながら、変調度の変化率γに基づく算出では、各々のデータ長群の比較的長いデータ長によって変調度が検出されるため、エッジシフトやデータ長のずれそのものは算出結果に反映されない。即ち、最適記録パワーが情報記録装置のばらつきなどによってずれた値を算出したとしても、第１の試し書き工程で用いたパルス幅若しくはパルスエッジ位置の設定が、奇数長と偶数長とのデータ長群間でずれが無い条件であるかどうかは検出不能である。
【００７０】
そこで、本実施の形態では、最適記録パワーを用いた記録において、異なる規則で記録パルス列を生成したデータ長群に対して、各々のデータ長群のマークエッジシフトや平均のデータ長のずれを検出し、パルス幅若しくはパルスエッジ位置を調整することで補正を行うようにしている。
【００７１】
また、奇数長と偶数長とのデータ長全てを含んだデータパターンで試し書きを行っていると、奇数長のデータ長を含む再生信号と、偶数長のデータ長を含む再生信号とに対して、最適記録パワーが予め設定された記録波形のパルス幅やパルスエッジ位置を用いると異なる値を示す確率が高く、再生信号のアシンメトリにずれを生じる。他のマークと異なることにより、他のマークの最適記録パワーで記録した領域の再生信号Ｓrfは例えば図６のようになる。即ち、奇数長のデータ長を含む平均値Ｉdcoと、偶数長のデータ長を含む平均値の平均値Ｉdceとは異なるため、検出される平均値Ｉdcは偶数長のデータ長を含む平均値Ｉdceとは誤差を生じ、この結果、アシンメトリβも誤った値が算出されるため誤った最適記録パワーが算出されてしまう。このような状態で記録パワーと記録波形を決定してしまうと前述の図１１（ｂ）（ｃ）のデータ長毎のヒストグラムのように奇数長と偶数長とのデータ長群がエッジシフトを生じた再生信号となるためジッタ特性が劣化し、再生エラーとなる。
【００７２】
この点、本実施の形態では、以下の第２の試し書き工程に示すように、記録波形の規則に応じたデータ長群毎に、パルス幅若しくはパルスエッジ位置を最適化するための試し書き用の第２のデータパターンを用いているので、このような問題は生じず、正確に最適記録パワーとパルス幅若しくはパルスエッジ位置を算出できる。
【００７３】
なお、この方法はエッジシフトを生じやすい最短データ長を個別のデータ長群として加えることもでき、最適値算出のためにジッタ検出部を設け、最小のジッタとなるパルス幅若しくはエッジ位置を算出するようにしてもよい。
【００７４】
最適記録パワーを算出する第１の試し書き工程に引き続き、このような特徴的な第２の試し書き工程を行う。ステップＳ４（Ｓ１４）では、第２の試し書き工程で使用する第２のテストパターンを生成する（第２のテストパターン生成工程、第２のテストパターン生成手段）。第２のテストパターンは前述の２Ｔストラテジに基づくものであり、整数ｎ＝２で除算した剰余１、即ち、奇数長のデータ長群（３，５，７，９，１１Ｔ）と、ｎ＝２で除算した剰余０、即ち、偶数長のデータ長群（４，６，８，１０，１４Ｔ）を構成するデータ列である。
【００７５】
通常、エンコーダ９で変調したＥＦＭ＋（plus）などの記録データは、各々のデータ長の生成個数比率が異なる。一般に、ＣＤやＤＶＤのようにＲＬＬ（Ｒun Ｌength Ｌimited Ｃode）符号で、ランダムな変調後のｎ種のデータパターンの生成比率は、最短データ長から順に２ｎ−１個の比率となる。実際には、変調前のデータを所定のデータパターン表に対応づけを行っているためＥＦＭ＋の場合、概略３Ｔ＝３２％，４Ｔ＝２５％，５Ｔ＝１７％，６Ｔ＝１２％，７Ｔ＝７％，８Ｔ＝４％，９Ｔ＝２％，１０Ｔ＝１％，１１Ｔ＜１％，１４Ｔ＜１％となっている。このため、再生信号の平均値とデータ長の長短に基づくアシンメトリはこのような生成個数比率が異なると誤差を生じる。従って、第２の試し書き工程で用いる奇数長のデータ長群と、偶数長のデータ長群とのテストパターンは、データ生成個数比率は各々、奇数長のデータ長群（３Ｔ＝５５％，５Ｔ＝３０％，７Ｔ＝１０％，９Ｔ＝５％，１１Ｔ＜１％）、偶数長のデータ長群（４Ｔ＝５８％，６Ｔ＝２８％，８Ｔ＝１０％，１０Ｔ＝３％，１４Ｔ＜１％）に設定されたテストパターンが望ましいが、アシンメトリ検出誤差が無視できる程度に適宜調整されたパターンを固定データとしてコントローラから供給するようにする。
【００７６】
ステップＳ５（Ｓ１５）では、記録パワーＰwはステップＳ３で算出した記録パワーＰw(opt)に設定し、最初のセクタに最短マーク長を含む奇数長のデータ長群のみからなる第２のテストパターンを記録する。このセクタからの再生信号の平均値やアシンメトリ値を基準値（Ｓ１６）とする。
【００７７】
次に、セクタ毎に偶数長のデータ長群のみからなる第２のテストパターンを用いて（Ｓ１７）、前述の先頭加熱パルスのパルス幅Ｔfpeを大きく変化させるか若しくは前パルスエッジ位置Ｔsfpoを小さく変化させると共に、最後尾加熱パルスのパルス幅Ｔlpeを大きく変化させるか若しくは前パルスエッジ位置Ｔslpeを大きく変化させることによって、偶数長のデータ長が相対的に長くなるように所定の間隔で適宜変化させながら、第２のテストパターンを試し書き領域に記録する（Ｓ１８）（試し書き処理工程、試し書き処理手段）。即ち、通常のAgInSbTe系の記録材料からなる相変化型ディスクの場合は、先頭加熱パルスの前エッジ位置を記録クロックに対して前方にシフトすることで、記録マークの前エッジ(開始位置)をマーク長が長くなるように形成することができる。同時に、最後尾加熱パルスの前エッジ位置を記録クロックに対して後方にシフトすることで、記録マークの後エッジ（終端位置）をマーク長が長くなるように形成することができる。
【００７８】
相変化型ディスクでは、この試し書き領域はステップＳ２の第１の試し書き領域に上書きしてもよく、或いは、一度消去した後に第２の試し書きを行ってもよい。また、一度に使用できる試し書き領域（例えば１ＥＣＣブロック）の前半部分に第１の試し書きを、後半部分に第２の試し書きを行うものであってもよい。さらに、１回のみ記録や追記が可能な色素や無機材料からなる追記型ディスクの場合も、マーク長を制御するための記録波形のパルスエッジ位置は開始位置を前方にシフトさせるか終端位置を後方にシフトさせればよく、相変化型と同様である。
【００７９】
次に、ステップＳ６（Ｓ１９）では、ステップＳ５で試し書きした領域を再生し、偶数長の再生信号Ｓrfのアシンメトリβが、基準値である奇数長の再生信号のアシンメトリ値と一致するセクタを記録したパルスエッジ位置若しくはパルス幅を第２の最適記録パルス条件設定Ｔsfpe(opt)，Ｔfpe(opt)，Ｔslpe(opt)，Ｔlpe(opt)，Ｔecpe(opt)として算出する（最適記録波形算出工程、最適記録波形算出手段）。
【００８０】
再生信号の品質を評価するには、ステップＳ３の第１の方法の場合と同様に、各セクタにおける再生信号Srfの最大値Ipk、最小値Ibt、平均値（DC値）Idcを検出し、(１)式によりアシンメトリβを算出する。そして、アシンメトリβが、奇数長の基準アシンメトリ値に近いセクタを記録した記録パルス設定値を最適パルス設定(opt)として算出すればよい。或いは、パルスエッジ位置Ｔsfpe若しくはパルス幅Ｔfpeとアシンメトリβとの近似式を算出し、β＝基準アシンメトリ値となる記録パワーを算出するようにしてもよい。なお、第２の試し書きにおいては奇数長のデータ長のパルスエッジ位置若しくはパルス幅は第１の試し書きで得られた記録パワーによりマッチングしている、奇数長の平均値Idcoはβ＝0となる値となっている。ステップＳ５（Ｓ１８）では偶数長の記録パルスのパルスエッジ位置若しくはパルス幅を変化させながら記録しているので、偶数長の平均値Idceが変化していく。よって、Ｉdc3が、Ｉpk−Ｉdc3＝Ｉdc3−Ｉbtとなる値になるセクタがアシンメトリβ＝0となり、そのセクタで記録した記録パルスのパルスエッジ位置若しくはパルス幅Ｔsfpe(opt)，Ｔfpe(opt)，Ｔslpe(opt)，Ｔlpe(opt)が最適値として算出できる（Ｓ１９）。
【００８１】
なお、アシンメトリβは必ずしもβ＝０が目標値となるわけではなく、ジッタ特性や記録マージンに有利となる−０．０５＜β＜０．１５の範囲で選択される。
【００８２】
次に、実際の第２の試し書き工程で用いられる記録波形のパルスエッジとパルス幅の設定例を示す。
【００８３】
図９（ａ）では、偶数長のデータ長群に対して最後尾冷却パルスのパルス幅Ｔecpeを、０Ｔから０．６Ｔまで０．１Ｔステップで増加させて試し書きを行い、再生信号から検出された各々のアシンメトリ値が、奇数長のデータ長群で得られた基準アシンメトリ値（＝０）と一致するアシンメトリ値を算出している。ここでは、最後尾冷却パルス幅Ｔecpe(opt)＝０．１５Ｔが最適値として算出されたものである。
【００８４】
図９（ｂ）では、偶数長のデータ長群に対して最後尾加熱パルスの前エッジ位置Ｔslpeを、０．６Ｔから１．２Ｔまで０．１Ｔステップで増加させて試し書きを行い、再生信号から検出された各々のアシンメトリ値が、奇数長のデータ長群で得られた基準アシンメトリ値（＝０）と一致するアシンメトリ値を算出している。ここでは、最後尾加熱パルスの前エッジ位置Ｔslpe(opt)＝０．９Ｔが最適値として算出されたものである。
【００８５】
図９（ｃ）では、偶数長のデータ長群に対して最後尾加熱パルスのパルス幅Ｔlpeを、０．４Ｔから１．０Ｔまで０．１Ｔステップで増加させて試し書きを行い、再生信号から検出された各々のアシンメトリ値が、奇数長のマーク長群で得られた基準アシンメトリ値（＝０）と一致するアシンメトリ値を算出している。ここでは、最後尾加熱パルス幅Ｔlpe(opt)＝０．７Ｔが最適値として算出されたものである。
【００８６】
図９（ｄ）では、偶数長のデータ長群に対して先頭加熱パルスの前エッジ位置Ｔsfpeを１．２０Ｔから０．９５Ｔまで０．０５Ｔステップに減少させるとともに、最後尾加熱パルスの前エッジ位置Ｔslpeを、０．５Ｔから１．４Ｔまで０．１５Ｔステップで試し書きを行い、再生信号から検出された各々のアシンメトリ値が、奇数長のデータ長群で得られた基準アシンメトリ値（＝０）と一致するアシンメトリ値を算出している。ここでは、先頭加熱パルスの前エッジ位置Ｔsfpe(opt)＝１．０５、かつ、最後尾加熱パルスの前エッジ位置Ｔslpe(opt)＝０．９５Ｔが最適値として算出されたものである。
【００８７】
このように、記録波形に異なる規則を有するデータ長群に対して、ディスクの特性やマーク形成の状態に合わせて、特定のデータ長群を再生信号の基準値として、その他のデータ長群の記録波形のパルスエッジ位置やパルス幅を効果的に選択し、第２の試し書きによって最適パルスエッジ位置やパルス幅を算出することができる。
【００８８】
上記のようにして第１の試し書き工程により最適記録パワーＰw(opt)を算出し、第２の試し書き工程により最適パルス条件設定Ｔsfp(opt)，Ｔfp(opt)，Ｔslp(opt)，Ｔlp(opt)，Ｔecp(opt)などを算出することにより、試し書き工程を終了する。
【００８９】
通常の情報記録時には、このようにして求めた最適記録パワーや最適パルス条件設定に従い記録をすると全てのデータ長が精度よく形成でき、精度のよい記録が行える。
【００９０】
なお、ステップＳ３において、変調度ｍの変化率γにより最適記録パワーを算出する場合は、比較的短いマークが最適パワーと異なった値で記録されても、変調度ｍ及びその変化率γにはほとんど影響しないため、第１のテストパターンは全てのデータ長を含んだデータパターン（通常のデータ）としたり、比較的長いマーク（例えば、６Ｔ以上）を含む特定のデータパターンを用いることができ、所定の基準となるデータ長群（例えば、奇数長）を含むテストパターンに対して記録パワーＰwを変化させながら試し書きすればよい。
【００９１】
また、前述の説明では記録媒体１は、相変化型記録媒体を想定して説明をしたが、色素型や無機材料型などの他の記録媒体であっても、記録波形に異なる規則を有するデータ長群に従い記録を行う記録方法においては前述のOPC方法が好適に適用できる。
【００９２】
また、第１，第２の各々のテストパターンを連続したデータパターンで構成し、奇数長の試し書きと偶数長の試し書きを連続して行い、その後、これらの２つの試し書き領域を一度に再生して、奇数長のデータ長によるアシンメトリの基準値と、偶数長のデータ長における記録波形のパルスエッジ位置若しくはパルス幅の最適値を算出するようにしてもよい。即ち、ステップＳ１１，Ｓ１２，Ｓ１３，Ｓ１４，Ｓ15，Ｓ１７，Ｓ１８，Ｓ１６，Ｓ１９の順で処理を行うようにしてもよい。このようにすれば、記録と再生処理との切換え工程（目的の試し書き領域へのアクセス時間など）を省略できるので、試し書き工程時間を短縮することができる。
【００９３】
次に、図１０に基づき情報記録方法の別の実施の形態を説明する。本実施の形態では、ｎ＝３の例であり、データ長によって３つのデータ長群に分類し、各々のデータ長群の記録パワーの最適値及び最適記録波形を算出する方法について述べる。より具体的には、データ長をｎ＝３で除算した剰余０，１，２で分類されるような、いわゆる３Ｔストラテジを用いている。この情報記録方法はデータ長が３Ｔ増加する毎に加熱パルスと冷却パルスが１組増加する記録波形を用いている。従って、第１のデータ長群は剰余０のデータ長（３，６，９Ｔ）とし、第２のデータ長群は剰余１のデータ長（４，７，１０Ｔ）とし、第３のデータ長群は剰余２のデータ長（５，８，１１，１４Ｔ）としている。さらに、記録波形のパルスエッジ位置やパルス幅は、Ｔsfp0，Ｔsfp1，Ｔsfp2のようにサフィックス０，１，２を付加した、異なる規則を用いている。これらの記録パルスエッジ位置若しくはパルス幅としては、前述のように先頭加熱パルスのパルスエッジ位置Ｔsfp(0,1,2)や、最後尾加熱パルスのエッジ位置Ｔslp(0,1,2)や、最後尾加熱パルス幅Ｔlp(0,1,2)や、最後尾冷却パルス幅Ｔecp(0,1,2)などの組合せによって、各々変化させながら各々のデータ長群毎の試し書きを行い、各々の最適値を算出する。
【００９４】
ステップＳ２１では、第１のテストパターンを生成する。この第１のテストパターンは全データ長からなるランダムなデータパターンで構成される。
【００９５】
ステップＳ２２では、セクタ毎に記録パワーＰwを変化させながらこの第１のテストパターンを試し書き領域に記録する。
【００９６】
ステップＳ２３では、ステップS２２で試し書きした領域を再生し、再生信号Ｓrfが最も良好に得られるセクタを記録したパワーを最適記録パワーＰw(opt)として算出する。この再生信号の品質を評価するには上述した例のような変調度の変化率γを用いる方式が適用できる。
【００９７】
ステップＳ２４では、第２のテストパターンを生成する。この第２のテストパターンは第１のデータ長群のデータ長からなるテストパターンで構成される。このとき、データ長の生成比率はデータ変調の比率に基づくパターンが望ましい。
【００９８】
ステップＳ２５では、試し書き領域の次のセクタに最短マーク長を含む第１のデータ長群のデータ長からなるテストパターンを、ステップＳ２３で算出した最適記録パワーＰw(opt)を用いて記録する。このとき、データ長の生成比率はデータ変調の比率に基づくパターンが望ましい。
【００９９】
ステップＳ２６では、ステップＳ２５で試し書きした領域を再生し、このセクタからの再生信号の平均値やアシンメトリ値を基準値とする。この再生信号の品質を評価するには上述した例が適用できる。
【０１００】
ステップＳ２７では、試し書き領域の次のセクタ毎に記録波形のパルスエッジ位置若しくはパルス幅（例えば、Ｔsfp1，Ｔslp1，Ｔslp1，Ｔecp1の何れか、若しくはこれらの組合せ）を変化させながら、第２のデータ長群のデータ長からなるテストパターンを、ステップＳ２３で算出した最適記録パワーＰw(opt)を用いて記録する。このとき、データ長の生成比率はデータ変調の比率に基づくパターンが望ましい。
【０１０１】
ステップＳ２８では、ステップＳ２７で試し書きした領域を再生し、第２のデータ長群のデータ長の再生信号Ｓrfのアシンメトリβが、基準値である第１のデータ長群のデータ長のアシンメトリ値と一致するセクタを記録したパルスエッジ位置若しくはパルス幅を、最適記録パルス設定値Ｔsfp1(opt)，Ｔfp１(opt)，Ｔslp1(opt)，Ｔlp1(opt)，Ｔecp1(opt)として算出する。或いは、パルスエッジ位置若しくはパルス幅とアシンメトリβとの近似式を算出し、β＝基準アシンメトリ値となる記録パワーを算出するようにしてもよい。この場合も、再生信号の品質を評価するには上述した例が適応できる。
【０１０２】
ステップＳ２９では、試し書き領域の次のセクタ毎に記録波形のパルスエッジ位置若しくはパルス幅（例えば、Ｔsfp2，Ｔslp2，Ｔslp2，Ｔecp2の何れか、若しくは、これらの組合せ）を変化させながら、第３のデータ長群のデータ長からなるテストパターンを、ステップＳ２３で算出した最適記録パワーＰw(opt)を用いて記録する。このとき、データ長の生成比率はデータ変調の比率に基づくパターンが望ましい。
【０１０３】
ステップＳ３０では、ステップＳ２９で試し書きした領域を再生し、第３のデータ長群のデータ長の再生信号Ｓrfのアシンメトリβが、基準値である第１のデータ長群のデータ長のアシンメトリ値と一致するセクタを記録したパルスエッジ位置若しくはパルス幅を、最適記録パルス設定値Ｔsfp2(opt)，Ｔfp2(opt)，Ｔslp2(opt)，Ｔlp2(opt)，Ｔecp2(opt)として算出する。或いは、パルスエッジ位置若しくはパルス幅とアシンメトリβとの近似式を算出し、β＝基準アシンメトリ値となる記録パワーを算出するようにしてもよい。この場合も、再生信号の品質を評価するには上述した例が適応できる。
【０１０４】
このようにして最適記録パワーＰw(opt)、及び、第２，第３のデータ長群各々のパルスエッジ位置若しくはパルス幅の最適値を算出することにより、試し書き工程を終了する。
【０１０５】
通常の情報記録時には、このようにして求めた最適記録パワーと最適記録波形を用いて記録をすると全てのデータ長が精度よく形成することができ、精度のよい記録を行うことができる。
【０１０６】
上述の例では、各々のデータ長群におけるテストパターンとして、記録パワーを違える特定パターンのデータ長の生成比率はデータ変調の比率に基づくパターンとしたが、アシンメトリ検出誤差が無視できる程度に適宜調整されたパターンを固定データとしてコントローラから供給することでも適用できる。
【図面の簡単な説明】
【０１０７】
【図１】本発明の一実施の形態の光情報記録装置の概略構成例を示すブロック図である。
【図２】ＰＣＡ領域及び試し書き方式に関する説明図である。
【図３】再生信号のアイダイアグラムを示す特性図である。
【図４】各記録情報に対応する２Ｔストラテジでの発光記録波形例を示す波形図である。
【図５】その一部を抽出し拡大して示す波形図である。
【図６】データ長群で再生信号の平均値特性が異なる様子を示す特性図である。
【図７】試し書き処理制御例を示す概略フローチャートである。
【図８】より詳しく示すフローチャートである。
【図９】パルスエッジ位置とパルス幅との各種設定例に関する説明図である。
【図１０】別の実施の形態の試し書き処理制御例を示す概略フローチャートである。
【図１１】再生信号のマークデータ長毎のヒストグラムを示す特性図である。
【符号の説明】
【０１０８】
１      記録媒体
２１      試し書き領域
【図１】
2005149610.tif 000003
【図２】
2005149610.tif 000004
【図３】
2005149610.tif 000005
【図４】
2005149610.tif 000006
【図５】
2005149610.tif 000007
【図６】
2005149610.tif 000008
【図７】
2005149610.tif 000009
【図８】
2005149610.tif 000010
【図９】
2005149610.tif 000011
【図１０】
2005149610.tif 000012
【図１１】
2005149610.tif 000013